(57)【要約】【課題】  内部ユニットの操作と着脱を容易にしつつ、前面ユニットを安定して操作し易くすることができる電子機器の筐体構造を提供する。【解決手段】  ラック１の正面に形成される前面ユニット２ａを備える電子機器の筐体構造であって、パネル５ａの底辺の一方の端部をスライドベース３ａに沿ってパネル５ａを開閉させるよう移動させるスライダー３ｉと、パネル５ａを開く方向にスライダー３ｉが移動するのに伴って、パネル５ａにおける底辺の他方の端部を押し出してパネル５ａの向きを回転させるスイングアーム４ｃ，４ｄとを有する筐体構造である。【選択図】        図８
2019102740.tif 000002
【特許請求の範囲】
【請求項１】
ラックの正面に形成される前面ユニットを備える電子機器の筐体構造であって、
前記前面ユニットのパネルにおける第１の辺が接するスライドベースと、
前記第１の辺の一方の端部を前記スライドベースに沿って前記パネルを開閉させるよう移動させるスライダー部と、
前記パネルを開く方向に前記スライダー部が移動するのに伴って、前記パネルにおける前記第１の辺の他方の端部を押し出して前記パネルの向きを回転させるアーム部とを有することを特徴とする筐体構造。
【請求項２】
ラックに固定されるロータリーベースを設け、
前記ロータリーベース内に設けられた連結軸にアーム部の一端が回転可能に接続され、前記アーム部の他端がパネルに回転可能に接続されていることを特徴とする請求項１記載の筐体構造。
【請求項３】
アーム部は、第１のアームと第２のアームを備え、
前記第１のアームの一端が連結軸に接続し、パネルにおける第１の辺の中央部分に前記第１のアームの他端が接続し、前記第２のアームの一端が前記連結軸に接続し、前記パネルにおける前記第１の辺に並行な第２の辺の中央部分に前記第２のアームの他端が接続することを特徴とする請求項２記載の筐体構造。
【請求項４】
パネルの開閉方向で、前記パネルを開いた状態で前記パネルを固定する第１のロック機構を設けたことを特徴とする請求項１乃至３のいずれか記載の筐体構造。
【請求項５】
パネルとスライダー部とを連結又は解放する第２のロック機能を設け、
前記第２のロック機構が解放されると、アーム部の他端を中心に前記パネルを回転可能とすることを特徴とする請求項１乃至４のいずれか記載の筐体構造。
【発明の詳細な説明】
【技術分野】
【０００１】
本発明は、電子機器の筐体構造に係り、特に、操作性を向上させた筐体構造に関する。
【背景技術】
【０００２】
［従来の技術］
従来の電子機器の筐体構造について、例えば、通信機器、放送機器等に用いられる電子機器の筐体構造では、電子機器を構成するユニットをラックに装着して構成するのが一般的である。
【０００３】
例えば、テレビ放送は、各放送局で制作された映像、音声信号を送信所に送出し、送信用アンテナから各地域に送信する送信機を用いている。送信機は、電力増幅器（ＰＡ：Power Amplifier）で一定の電力量に増幅して送信するため、送信エリアによってはＰＡの台数を増やして電力量を増加させる必要がある。そのため、ラックに収納するユニットが増加することがある。
【０００４】
ユニットは、ラックの前面に設けてあるタップを用い、各ユニットをケーブル等で接続して送信機として動作するものである。また、一つのラックで、ユニットを収納しきれない場合は、隣接ラックを設けることになる。
【０００５】
［従来のラック：図１１］
従来のラックについて図１１を参照しながら説明する。図１１は、従来のラックの平面説明図である。
図１１では、ラック１と隣接ラック１ｂが設けられ、ラック１内に内部ユニット２ｂが収納され、その前面に操作面２ｃを有する前面ユニット２ａが形成されている。
【０００６】
内部ユニット２ｂを操作するためには、前面ユニット２ａを移動させる必要があり、図１１では、ラック１にヒンジ２ｅを設け、前面ユニット２ａを扉状に開閉する構成となっている。図１１では、前面ユニット２ａを閉じた状態と開いた状態の両方を示している。
【０００７】
図１１の例では、ヒンジ２ｅを中心に前面ユニット２ａが開閉することで、内部ユニット２ｂの操作と着脱ができるようになるが、前面ユニット２ａが開いた状態では、操作面２ｃが裏面となるため操作できず、また、開いた状態の前面ユニット２ａが隣接ラック１ｂの操作を邪魔することになって操作性が悪いものとなっていた。
【０００８】
［関連技術］
尚、関連する先行技術として、特開２００７−１４２５２８号公報「局舎ボックス付テレビ中継送信機およびその設置方法」（特許文献１）がある。
特許文献１には、入力分波器、受信変換器、補償器、送信変換器、合成器、増幅器、発振器、電源等を備えるテレビ中継送信機能と、それをビルトインする局舎ボックスが示されている。
【先行技術文献】
【特許文献】
【０００９】
【特許文献１】特開２００７−１４２５２８号公報
【発明の概要】
【発明が解決しようとする課題】
【００１０】
しかしながら、従来の電子機器の筐体構造では、内部ユニットの操作と着脱を容易にしつつ、前面ユニットを操作し易くした構造とはなっていないため、操作性が悪いという問題点があった。
【００１１】
本発明は上記実情に鑑みて為されたもので、内部ユニットの操作と着脱を容易にしつつ、前面ユニットを安定して操作し易くすることができる電子機器の筐体構造を提供することを目的とする。
【課題を解決するための手段】
【００１２】
上記従来例の問題点を解決するための本発明は、ラックの正面に形成される前面ユニットを備える電子機器の筐体構造であって、前面ユニットのパネルにおける第１の辺が接するスライドベースと、第１の辺の一方の端部をスライドベースに沿ってパネルを開閉させるよう移動させるスライダー部と、パネルを開く方向にスライダー部が移動するのに伴って、パネルにおける第１の辺の他方の端部を押し出してパネルの向きを回転させるアーム部とを有することを特徴とする。
【００１３】
本発明は、上記筐体構造において、ラックに固定されるロータリーベースを設け、ロータリーベース内に設けられた連結軸にアーム部の一端が回転可能に接続され、前記アーム部の他端がパネルに回転可能に接続されていることを特徴とする請求項１記載の筐体構造。
【００１４】
本発明は、上記筐体構造において、アーム部が、第１のアームと第２のアームを備え、第１のアームの一端が連結軸に接続し、パネルにおける第１の辺の中央部分に第１のアームの他端が接続し、第２のアームの一端が連結軸に接続し、パネルにおける第１の辺に並行な第２の辺の中央部分に第２のアームの他端が接続することを特徴とする。
【００１５】
本発明は、上記筐体構造において、パネルの開閉方向で、パネルを開いた状態でパネルを固定する第１のロック機構を設けたことを特徴とする。
【００１６】
本発明は、上記筐体構造において、パネルとスライダー部とを連結又は解放する第２のロック機能を設け、第２のロック機構が解放されると、アーム部の他端を中心にパネルを回転可能とすることを特徴とする。
【発明の効果】
【００１７】
本発明によれば、スライドベースが、前面ユニットのパネルにおける第１の辺が接し、スライダー部が、第１の辺の一方の端部をスライドベースに沿ってパネルを開閉させるよう移動させ、アーム部が、パネルを開く方向にスライダー部が移動するのに伴って、パネルにおける第１の辺の他方の端部を押し出してパネルの向きを回転させる筐体構造としているので、前面ユニットの内部に収納される内部ユニットの操作と着脱を容易にしつつ、前面ユニットを安定して操作し易くすることができる効果がある。
【図面の簡単な説明】
【００１８】
【図１】本筐体構造の斜視図である。
【図２】本筐体構造の正面図である。
【図３】パネルを閉じた状態の概略図である。
【図４】パネルを最大に開いた状態の概略図である。
【図５】フレーム部の詳細図である。
【図６】ロック機構の概略図である。
【図７】フレーム部とパネルの関係を示す概略図である。
【図８】アーム部の詳細を示す概略図である。
【図９】パネルの裏面を引き出した状態の平面図である。
【図１０】パネルの詳細図である。
【図１１】従来のラックの平面説明図である。
【発明を実施するための形態】
【００１９】
本発明の実施の形態について図面を参照しながら説明する。
［実施の形態の概要］
本発明の実施の形態に係る筐体構造は、前面ユニットのパネルにおける第１の辺が接するスライドベースと、第１の辺の一方の端部をスライドベースに沿ってパネルを開閉させるよう移動させるスライダー部と、パネルを開く方向にスライダー部が移動するのに伴って、パネルにおける第１の辺の他方の端部を押し出してパネルの向きを回転させるアーム部とを有する筐体構造としているので、前面ユニットの内部に収納される内部ユニットの操作と着脱を容易にしつつ、前面ユニットを安定して操作し易くすることができるものである。
【００２０】
［本筐体構造の概略：図１，２］
本発明の実施の形態に係る筐体構造（本筐体構造）の概略について図１，２を参照しながら説明する。図１は、本筐体構造の斜視図であり、図２は、本筐体構造の正面図である。
本筐体構造は、図１，２に示すように、ラック１内に複数のユニット２を収納するようになっており、内部ユニット２ｂの前面に、パネル５ａを有する前面ユニット２ａが形成されている。また、パネル５ａは、正面に操作パネル６ａを備えている。
尚、図１では、隣接ラック１ｂがラック１に隣接して設置されている。
【００２１】
［パネルを閉じた状態：図３］
次に、本筐体構造の前面ユニットにおいて、パネル５ａを閉じた状態の構造について図３を参照しながら説明する。図３は、パネルを閉じた状態の概略図である。特に、（ａ）が平面図で、（ｂ）が正面図で、（ｃ）が底面図で、（ｄ）が右側面図である。
前面ユニットは、図３に示すように、正面に操作パネル６ａを有するパネル５ａが設けられ、そのパネル５ａが底面でスライドベース３ａに接続し、左側面ではサイドベース３ｂに接続し、右側面ではロータリーベース３ｃに接続し、平面（上面）ではパネルアームウエ４ａに接続している。
そして、スライドベース３ａとロータリーベース３ｃは、ラック１に取り付けられている。
【００２２】
前面ユニットのパネル５ａは、右側に設けられたハンドル５ｂを操作することでロック状態を解除して、スライドベース３ａからパネル５ａの右端が正面から見て手前側に引き出されるようになっている。
【００２３】
それに伴って、パネル５ａは、左側面がサイドベース３ｂから離れて、底面の左端部がスライドベース３ａを左右に移動（スライド）するものである。そして、パネル５ａを開く際には、操作パネル６ａが内側（正面から見て手前側）となるよう開く動作を行うものである。
【００２４】
前面ユニットを更に具体的に説明する。
図３（ｂ）に示すように、パネル５ａは、操作パネル６ａの右側にハンドル５ｂを備え、左下側にスライドロックジグ４ｈを備えている。
操作パネル６ａは、前面ユニットの操作を行うタッチパネルとなっている。
【００２５】
ハンドル５ｂは、上側部分を中心に下側部分が左右に移動し、ロックガイド５ｄに挿入されたロッド５ｅを、コテイカナグ５ｃを介して上下させ、スライドベース３ａに形成されたロック溝４ｋに押し下げ又は押し上げる。
つまり、ハンドル５ｂは、パネル５ａをスライドベース３ａに固定し、また、当該固定を解除する操作を行うものである。
【００２６】
スライドロックジグ４ｈは、後述するスライドベース３ａをスライドするスライダー３ｉに固定され、パネル５ａの底面の左側端部をスライドベース３ａに沿ってスライドさせる支点となっている。
【００２７】
また、図３（ａ）に示すように、パネル５ａの上面に形成されたパネルアームウエ４ａの中央は奥側に突出しており、軸受３ｅが形成され、その軸受３ｅを貫通する回転軸４ｅの上端部にスイングアーム４ｃが接続し、そのスイングアーム４ｃがロータリーベース３ｃの軸受３ｄを貫通する連結軸４ｆの上端部に接続している。
【００２８】
スイングアーム４ｃは、軸受３ｄを貫通する連結軸４ｆを中心に回転し、パネル５ａのスライドベース３ａに沿った右側へのスライドに従って、操作パネル６ａを前方（手前側）に押し出す動作を行う。この動作の詳細は後述する。
【００２９】
［パネルを最大に開いた状態：図４］
スライドベース３ａに沿ってパネル５ａを最大に開いた状態について図４を参照しながら説明する。図４は、パネルを最大に開いた状態の概略図である。特に、（ａ）が平面図であり、（ｂ）が正面図である。
図４（ａ）に示すように、スライドベース３ａにリニアレール３ｆが形成され、その上をスライダーが移動して、その動きに連動して図３（ｂ）に示したスライドロックジグ４ｈも移動する。
【００３０】
開く前の動作として、パネル５ａのハンドル５ｂを回転させてロック溝４ｋからロッド５ｅを引き上げてロックを解除する。これにより、パネル５ａの底面左端部のスライドロックジグ４ｈの接続するスライダー３ｉがリニアレール３ｆ上をスライド可能となる。
そして、ハンドル５ｂを手前に引くようにすると、スイングアーム４ｃが軸受３ｄの連結軸４ｆを中心に回転し、パネル５ａの右側が手前側に引き出され、スライダー３ｉがリニアレール３ｆをスライドしながら操作パネル６ａが正面側に押し出されるように開く。
【００３１】
スライダー３ｉがリニアレール３ｆの右端まで移動すると、スライダー３ｉに接続するロックジグ３ｇがロックリブ３ｍに形成されたロック溝３ｋに押し込まれてロックされ、パネル５ａが固定される。このロック機構が、請求項における第１のロック機構である。
この状態で、内部ユニット２ｂを出し入れ可能となり、また、操作パネル６ａを操作する場合に、パネル５ａがぐらつくことがなく操作し易い。
また、ロックツマミ３ｈを引くことでロック溝３ｋからロックジグ３ｇを引き出してロックを解除することができ、パネル５ａを閉じる方向にスライドさせることができる。
【００３２】
［フレーム部の詳細：図５］
次に、スライダー３ｉをスライドさせるフレーム部について図５を参照しながら説明する。図５は、フレーム部の詳細図である。特に、（ａ）が平面図であり、（ｂ）が正面図であり、（ｃ）が左側面図であり、（ｄ）が右側面図である。
図５に示すように、スライドベース３ａには、リニアレール３ｆが取り付けられており、そのリニアレール３ｆにはスライダー３ｉがレール上のスライド可能に設けられている。
【００３３】
また、スライドベース３ａの背面には、ロックリブ３ｍが形成され、左側面にはサイドベース３ｂが設けられ、右側面にはロータリーベース３ｃが設けられている。
また、スライドベース３ａの正面右側に、図３に示したロッド５ｅが挿入されるロック溝４ｋが設けられている。
ロックリブ３ｍには、右側にロックジグ３ｇを挿入するロック溝３ｋが形成されている。
ロータリーベース３ｃには、後述する連結軸の上部先端を貫通させる軸受３ｄと下部先端を貫通させる軸受３ｎが設けられている。
【００３４】
［ロック機構：図６］
次に、ロック機構について図６を参照しながら説明する。図６は、ロック機構の概略図である。特に、（ａ）が平面図で、（ｂ）がスライダーのツマミ等を省略した平面図である。
ロック機構は、図６に示すように、ロック穴３ｊを有するスライダー３ｉと一体にヒッカケカナグ３Ｌが形成されており、ロックジグ３ｇがコイルバネによってロックリブ３ｍを押している状態でスライドするものであり、ロックツマミ３ｈを引くとロックジグ３ｇが正面側に引っ張られる。
尚、ロック穴３ｊには、図３に示したスライドロックジグ４ｈの下端が挿入されるようになっている。
【００３５】
図６（ｂ）では、ロックリブ３ｍのロック溝３ｋにロックジグ３ｇが押し込まれた状態（ロック状態）を示しており、ロックツマミ３ｈを引くことでロック溝３ｋからロックジグ３ｇを引き出してロックを解除できる。
尚、パネル５ａをスライドさせる際には、スライダー３ｉのツマミ、ロックツマミ３ｈ又はハンドル５ｂを持って動作させるようにしてもよい。
【００３６】
［フレーム部とパネルの関係：図７］
次に、フレーム部とパネルとの関係について図７を参照しながら説明する。図７は、フレーム部とパネルの関係を示す概略図である。
フレーム部のスライドベース３ａのリニアレール３ｆにスライダー３ｉが取り付けられており、スライダー３ｉのロック穴３ｊ（図６参照）にパネル５ａのスライドロックジグ４ｈが挿入される。
また、パネル５ａのロッド５ｅの下端部がフレーム部の右端前方のロック溝４ｋに挿入される。
尚、パネル５ａとフレーム部とは、後述するアーム部によって接続される。
【００３７】
［アーム部の詳細：図８］
次に、アーム部について図８を参照しながら説明する。図８は、アーム部の詳細を示す概略図である。特に、（ａ）がアーム部及び関連する部分の平面図であり、（ｂ）が（ａ）の斜視図であり、（ｃ）が（ａ）の正面図である。
アーム部は、図８に示すように、スイングアーム４ｃ，４ｄと、回転軸４ｅと、連結軸４ｆとを基本的に有している。
スイングアーム４ｃ，４ｄの一端が連結軸４ｆに接続し、スイングアーム４ｃ，４ｄの他端が回転軸４ｅに接続している。
【００３８】
尚、回転軸４ｅの上端部がパネルアームウエ４ａの軸受３ｅに挿入され、回転軸４ｅの下端部がパネルアームシタ４ｂの軸受に挿入される。
また、連結軸４ｆの上端部がロータリーベース３ｃの軸受３ｄに挿入され、連結軸４ｆの下端部がロータリーベース３ｃの図５（ｂ）に示す軸受３ｎに挿入されるようになっている。
【００３９】
つまり、アーム部は、スイングアーム４ｃ，４ｄの一端がロータリーベース３ｃの軸受３ｄ，３ｎに設けられた連結軸４ｆを中心に回転動作し、スイングアーム４ｃ，４ｄの他端がパネルアームウエ４ａの軸受３ｅとパネルアームシタ４ｂの軸受に設けられた回転軸４ｅで回転可能となり、アーム部の動きに合わせてパネル５ａの角度を変えるよう動作するものである。
【００４０】
アーム部を動作させるには、図８（ｃ）に示すハンドル５ｂを右側に回転させ、ロック溝４ｋからロッド５ｅを引き上げて、パネル５ａの前面状態の固定を解除してから、パネル５ａを前面から引き出しながら、スライドロックジグ４ｈが接続するスライダー３ｉを、リニアレール３ｆ上をスライドさせて移動させることができる。
【００４１】
［パネルの裏面を引き出した状態：図９］
次に、パネルの裏面を引き出した状態について図９を参照しながら説明する。図９は、パネルの裏面を引き出した状態の平面図である。
図８で示したパネル５ａをスライドさせて引き出した状態から、後述するパネル５ａの裏面にあるノブ４ｊを引き上げると、スライドロックジグ４ｈをスライダー３ｉのロック穴３ｊから引き出すことになり、パネル５ａのスライダー３ｉに対するロックが解除される。このロック機構が、請求項における第２のロック機構である。
【００４２】
すると、図９に示すように、パネル５ａがスライダー３ｉから離れ、パネル５ａの裏面が操作を行うユーザー側に向くようになり、パネル５ａの裏面にある操作ボタン等を操作できるようになり、パネル５ａのメンテナンスも容易となる。
【００４３】
［パネルの詳細：図１０］
次に、パネルの詳細について図１０を参照しながら説明する。図１０は、パネルの詳細図である。（ａ）が平面図で、（ｂ）が正面図で、（ｃ）が底面図で、（ｄ）が右側面図で、（ｅ）が背面（裏面）図である。
図１０（ｂ）に示すように、パネル５ａの右側にハンドル部５ｂが設けられ、図１０（ａ）に示すように、上面には軸受３ｅを備えるパネルアームウエ４ａが形成され、図１０（ｃ）に示すように、底面には軸受を備えるパネルアームシタ４ｂが形成されている。これら軸受には回転軸４ｅの上端部と下端部が挿入される。
【００４４】
そして、図１０（ｄ）（ｅ）に示すように、パネル５ａの裏面右側では、スライドロックジグ４ｈがコイルバネ４ｉを介してノブ４ｊに接続している。
ここで、コイルバネ４ｉは、スライドロックジグ４ｈを下側に押し下げており、ノブ４ｊを引き上げることでスライドロックジグ４ｈをロック穴３ｊから引き上げることができる。
【００４５】
また、図１０（ｅ）に示すように、パネル５ａの裏面左側では、裏面に接続するロックガイド５ｄの貫通孔にロッド５ｅの下端部が挿入され、上端部がコテイカナグ５ｃを介して表面のハンドル５ｂに接続されている。
【００４６】
ここで、正面側からハンドル５ｂを右側に回転させることで、コテイカナグ５ｃによりロッド５ｅが押し上げられ、ロック溝４ｋから引き出され、ハンドル５ｂを左側に回転させることで、コテイカナグ５ｃによりロッド５ｅが押し下げられ、ロック溝４ｋにロッド５ｅの下端部が挿入されるようになっている。
尚、パネル５ａの底面が請求項の第１の辺に相当し、パネル５ａの上面が請求項の第２の辺に相当している。
【００４７】
［動作］
次に、本筐体構造の動作について説明する。
［パネル５ａを開く動作］
図３のパネル５ａを閉じた状態からパネル５ａを開く場合には、ハンドル５ｂを右側に回転させ、ハンドル５ｂに連動するコテイカナグ５ｃによって、コテイカナグ５ｃに接続するロッド５ｅがロックガイド５ｄに沿ってスライドベース３ａに設けられたロック溝４ｋから引き上げられる。
これにより、パネル５ａがスライドベース３ａに固定されたロック状態から解放される。
【００４８】
そして、スライダー３ｉがリニアレール３ｆ上を摺動できるようになり、ハンドル５ｂを介してパネル５ａが手前側に引き出される操作が為されると、パネル５ａは、右に移動しながら連結軸４ｆと回転軸４ｅが同時に回転し、パネル５ａの操作パネル６ａ側が徐々に内側を向くようになる。そのため、パネル５ａが最大に移動した場合でも、隣接ラック１ｂに掛かる範囲は従来と比べて狭くなる。
【００４９】
また、パネル５ａは、スライドロックジグ４ｈがスライダー３ｉのロック穴３ｊに挿入され、ヒッカケカナグ３Ｌのロックジグ３ｇがロックリブ３ｍ側に力を掛けているため、リニアレール３ｆ上を移動途中であっても、操作を行う際にぐらつくことがない。
更に、パネル５ａが最大に開いた状態になると、ロックリブ３ｍのロック溝３ｋにロックジグ３ｇが押し込まれて、パネル５ａが固定され、操作性が安定する。
【００５０】
［パネル５ａを閉じる動作］
パネル５ａを閉じる場合には、ヒッカケカナグ３Ｌのロックツマミ３ｈを手前側に引っ張り、ロック溝３ｋからロックジグ３ｇを引き出すことで、ロックが解除され、スライダー３ｉを、リニアレール３ｆ上を左に移動させることができるようになる。
パネル５ａが左端まで移動して、ヒッカケカナグ３Ｌがサイドベース３ｂに接触した状態で、ハンドル５ｂを左へ回転させると、ロッド５ｅが下方に移動し、ロック溝４ｋに挿入されて、パネル５ａが閉じた状態で固定される。
【００５１】
［パネル５ａの裏面を正面側に向ける動作］
図４のパネル５ａを最大に開いた状態から、パネル５ａの裏面に設けられたノブ４ｊを引っ張ると、コイルバネ４ｉが縮んでスライドロックジグ４ｈがスライダー３ｉのロック穴３ｊから抜き出され、パネル５ａのロックが解除される。
これにより、パネル５ａは、回転軸４ｅを中心に回転自在となり、パネル５ａの裏面を正面側に向けることができるようになり、操作者が裏面に触れることができ、保守等を容易に行うことができる。
【００５２】
［応用例］
本筐体構造では、パネル５ａを右側に開く構成としたが、左側に開く構成であってもよい。
また、本筐体構造では、水平方向のスライドであったが、垂直方向にスライドさせる構成であってもよい。つまり、上側又は下側にパネルが開く構成であってもよい。
【００５３】
［実施の形態の効果］
本筐体構造によれば、前面ユニット２ａのパネル５ａにおける第１の辺（底辺）が接するスライドベース３ａと、第１の辺の一方の端部をスライドベース３ａに沿ってパネル５ａを開閉させるよう移動させるスライダー３ｉと、パネル５ａを開く方向にスライダー３ｉが移動するのに伴って、パネル５ａにおける第１の辺の他方の端部を押し出してパネル５ａの向きを回転させるスイングアーム４ｃ，４ｄとを有しているので、前面ユニット２ａの内部に収納される内部ユニット２ｂの操作と着脱を容易にしつつ、前面ユニット２ａを安定して操作し易くすることができる効果がある。
【産業上の利用可能性】
【００５４】
本発明は、内部ユニットの操作と着脱を容易にしつつ、前面ユニットを安定して操作し易くすることができる電子機器の筐体構造に好適である。
【符号の説明】
【００５５】
１…ラック、  １ｂ…隣接ラック、  ２ａ…前面ユニット、  ２ｂ…内部ユニット、  ２ｃ…操作面、  ２ｅ…ヒンジ、  ３ａ…スライドベース、  ３ｂ…サイドベース、  ３ｃ…ロータリーベース、  ３ｄ，３ｅ…軸受、  ３ｆ…リニアレール、  ３ｇ…ロックジグ、  ３ｈ…ロックツマミ、  ３ｉ…スライダー、  ３ｊ…ロック穴、  ３ｋ…ロック溝、  ３Ｌ…ヒッカケカナグ、  ３ｍ…ロックリブ、  ３ｎ…軸受、  ４ａ…パネルアームウエ、  ４ｂ…パネルアームシタ、  ４ｃ，４ｄ…スイングアーム、  ４ｅ…回転軸、  ４ｆ…連結軸、  ４ｈ…スライドロックジグ、  ４ｉ…コイルバネ、  ４ｊ…ノブ、  ４ｋ…ロック溝、  ５ａ…パネル、  ５ｂ…ハンドル部、  ５ｃ…コテイカナグ、  ５ｄ…ロックガイド、  ５ｅ…ロッド、  ６ａ…操作パネル
【図１】
2019102740.tif 000003
【図２】
2019102740.tif 000004
【図３】
2019102740.tif 000005
【図４】
2019102740.tif 000006
【図５】
2019102740.tif 000007
【図６】
2019102740.tif 000008
【図７】
2019102740.tif 000009
【図８】
2019102740.tif 000010
【図９】
2019102740.tif 000011
【図１０】
2019102740.tif 000012
【図１１】
2019102740.tif 000013